(57)【特許請求の範囲】
【請求項１】
ほぼ平行に配置された第１及び第２主母線のそれぞれが中心部に配置される筒部分と、該筒部分から突出し、前記第１及び第２主母線のそれぞれの軸方向に対して直交する方向に分岐している第１及び第２主母線のそれぞれが中心部に配置される接続部分とから成り、それぞれの前記接続部分には、該接続部分の中心部に配置される前記分岐している第１及び第２主母線のそれぞれに接続している母線側断路器が配置され、かつ、前記筒部分及び接続部分内には絶縁ガスが充填されている第１及び第２主母線断路器ユニットと、該第１及び第２主母線断路器ユニットのそれぞれと絶縁スペーサを介して接続され、遮断器を含む機器を絶縁ガスが充填された容器内に収納している分岐回線ユニットとを備え、前記第１及び第２主母線断路器ユニットと分岐回線ユニットが絶縁スペーサを介して接続された状態で、前記第１及び第２主母線断路器ユニットのそれぞれが絶縁スペーサを介して複数軸方向に一列に配置されているガス絶縁開閉装置であって、
前記分岐回線ユニットのいずれかで事故が発生した際には、事故が発生した分岐回線ユニットと接続している前記第１及び第２主母線断路器ユニットのいずれか一方の主母線を停電させ、この停電させた主母線が配置されている前記主母線断路器ユニットの筒部分及び接続部分内の前記絶縁ガスを回収し、次いで前記絶縁ガスが回収された前記主母線断路器ユニットを軸方向に隣接する主母線断路器ユニットから取外すと共に、前記主母線断路器ユニットの接続部分に配置されている絶縁スペーサを前記分岐回線ユニットから取外し、この取外された前記主母線断路器ユニットを、内部にある主母線を中心として１８０°回転させて前記主母線断路器ユニットの接続部分を前記分岐回線ユニットとは反対側に位置させ、この状態で前記主母線断路器ユニットを軸方向に隣接する主母線断路器ユニットと再接続し、前記絶縁ガスが回収されていた前記主母線断路器ユニット内に絶縁ガスを所定の圧力まで充填し、その後に停電していた前記主母線に課電し、しかる後に停電させた前記主母線とは別の主母線を停電させ、この停電させた主母線が配置されている前記主母線断路器ユニットの筒部分及び接続部分内の絶縁ガスを回収し、この状態で前記主母線断路器ユニットの接続部分に配置されている絶縁スペーサを前記分岐回線ユニットから取外し、その後、前記分岐回線ユニットを主母線から取外すことを特徴とするガス絶縁開閉装置の分岐回線ユニット取外し方法。
【発明の詳細な説明】
【０００１】
【発明の属する技術分野】
本発明はガス絶縁開閉装置の分岐回線ユニット取外し方法に係り、特に事故対応に好適なガス絶縁開閉装置の分岐回線ユニット取外し方法に関する。
【０００２】
【従来の技術】
変電所等の電気所に設置される従来のガス絶縁開閉装置としては、特開昭61−185004号公報に記載のように、第１主母線及び第２主母線に、遮断器等の機器を介して複数の分岐回線を接続する２重主母線構造のものがある。このガス絶縁開閉装置では、遮断器，線路側断路器，接地開閉器，避雷器等の機器を容器内に収納した分岐回線ユニットが所定の間隔をおいて並設され、これらの分岐回線ユニットにそれぞれ、第１主母線を構成する第１主母線断路器ユニットと第２主母線を構成する第２主母線断路器ユニットとが絶縁スペーサを介して接続されている。そして第１主母線断路器ユニット同士が直列に接続されて第１主母線を、第２主母線断路器ユニット同士が直列に接続されて第２主母線を、それぞれ構成している。
【０００３】
上記のような構成のガス絶縁開閉装置でいずれかの分岐回線ユニット内で事故が生じた場合には、事故が生じた分岐回線ユニットを第１及び第２主母線断路器ユニットから取り外して補修を行う必要がある。その際に、電気所全体が停電状態になるのを避けるために、第１及び第２主母線の少なくとも一方を課電状態に保ったままで、分岐回線ユニットを取り外している。しかし、課電状態となっている主母線断路器ユニットの容器内には高圧ガスが充填されているため、主母線断路器ユニットから分岐回線ユニットを取り外すと、その間に接続される絶縁スペーサに高いガス圧がかかっている状態となり作業に危険性を伴う。
【０００４】
そのため、従来技術では、予め容器内に母線導体を収納しただけの短絡母線ユニットを用意しておき、第１及び第２主母線の一方を停電させた状態で、停電させた主母線を構成する主母線断路器ユニットを短絡母線ユニットと入れ替える作業を行い、短絡母線ユニットを課電状態としたのち他方の主母線を停電させ、停電させた主母線を構成する主母線断路器ユニット内のガスを抜いてから、次いで分岐回線ユニットを主母線断路器ユニットから取り外すことにより作業の安全性を確保していた。
【０００５】
【発明が解決しようとする課題】
上記した従来の技術では、事故が生じたときにのみ使用する、容器内に母線導体を収納しただけの短絡母線ユニットを予め用意しておかなければならないため、その短絡母線ユニットの製作，保管場所の確保，事故発生現場への運搬作業などが必要であった。
【０００７】
本発明の目的は、電気所を停電させずに補修を行う際に、安全に短時間で、且つ低コストで分岐回線ユニットを主母線断路器ユニットから取外すことができるガス絶縁開閉装置の分岐回線ユニット取外し方法を提供するにある。
【０００８】
【課題を解決するための手段】
上記目的を達成するために、本発明のガス絶縁開閉装置の分岐回線ユニット取外し方法は、ほぼ平行に配置された第１及び第２主母線のそれぞれが中心部に配置される筒部分と、該筒部分から突出し、前記第１及び第２主母線のそれぞれの軸方向に対して直交する方向に分岐している第１及び第２主母線のそれぞれが中心部に配置される接続部分とから成り、それぞれの前記接続部分には、該接続部分の中心部に配置される前記分岐している第１及び第２主母線のそれぞれに接続している母線側断路器が配置され、かつ、前記筒部分及び接続部分内には絶縁ガスが充填されている第１及び第２主母線断路器ユニットと、該第１及び第２主母線断路器ユニットのそれぞれと絶縁スペーサを介して接続され、遮断器を含む機器を絶縁ガスが充填された容器内に収納している分岐回線ユニットとを備え、前記第１及び第２主母線断路器ユニットと分岐回線ユニットが絶縁スペーサを介して接続された状態で、前記第１及び第２主母線断路器ユニットのそれぞれが絶縁スペーサを介して複数軸方向に一列に配置されているガス絶縁開閉装置であって、
前記分岐回線ユニットのいずれかで事故が発生した際には、事故が発生した分岐回線ユニットと接続している前記第１及び第２主母線断路器ユニットのいずれか一方の主母線を停電させ、この停電させた主母線が配置されている前記主母線断路器ユニットの筒部分及び接続部分内の前記絶縁ガスを回収し、次いで前記絶縁ガスが回収された前記主母線断路器ユニットを軸方向に隣接する主母線断路器ユニットから取外すと共に、前記主母線断路器ユニットの接続部分に配置されている絶縁スペーサを前記分岐回線ユニットから取外し、この取外された前記主母線断路器ユニットを、内部にある主母線を中心として１８０°回転させて前記主母線断路器ユニットの接続部分を前記分岐回線ユニットとは反対側に位置させ、この状態で前記主母線断路器ユニットを軸方向に隣接する主母線断路器ユニットと再接続し、前記絶縁ガスが回収されていた前記主母線断路器ユニット内に絶縁ガスを所定の圧力まで充填し、その後に停電していた前記主母線に課電し、しかる後に停電させた前記主母線とは別の主母線を停電させ、この停電させた主母線が配置されている前記主母線断路器ユニットの筒部分及び接続部分内の絶縁ガスを回収し、この状態で前記主母線断路器ユニットの接続部分に配置されている絶縁スペーサを前記分岐回線ユニットから取外し、その後、前記分岐回線ユニットを主母線から取外すことを特徴とする。
【００１０】
【発明の実施の形態】
本発明の一実施例を、図１から図７により説明する。
【００１１】
本実施例のガス絶縁開閉装置は、図１に示すように、第１主母線１と第２主母線２とはほぼ平行に配置されており、この第１主母線１及び第２主母線２は、それぞれ第１主母線断路器ユニット２１ａ，２１ｂ，２１ｃ及び第２主母線断路器ユニット２２ａ，２２ｂ，２２ｃを介して分岐回線ユニット２３ａ，２３ｂ，
２３ｃに接続されて構成されている。これらの第１主母線断路器ユニット２１ａ，２１ｂ，２１ｃは第１及び第２主母線方向にそれぞれ絶縁スペーサ４４を介して並置されており、第２主母線断路器ユニット２２ａ，２２ｂ，２２ｃも同様に並置されている。主母線断路器ユニットは中心部に主母線が配置された筒部分とこの筒部分から突出した分岐回線ユニットとの接続部分が設けられている。第１主母線断路器ユニット２１ａ，２１ｂ，２１ｃには、それぞれ母線側断路器３１，３２が分岐回線ユニット２３ａ，２３ｂ，２３ｃとの接続側に設けられており、分岐回線ユニット２３ａ，２３ｂ，２３ｃとは絶縁スペーサ４１を介して接続されている。第２主母線断路器ユニット２２ａ，２２ｂ，２２ｃも同様な構成で分岐回線ユニット２３ａ，２３ｂ，２３ｃと絶縁スペーサ４２を介して接続されている。分岐回線ユニット２３ａ，２３ｂ，２３ｃ内には、遮断器５１，３つの接地開閉器６１，６２，６３，線路側断路器３３，計器用変圧器７１，ケーブルヘッド７３，避雷器７２が収納されており、第１主母線１及び第２主母線２は遮断器５１と接続され、遮断器５１の両側には接地開閉器６１，６２が設置されている。遮断器５１はさらに絶縁スペーサ４３を介して線路側断路器３３及びケーブルヘッド７３に接続され、線路側断路器３３とケーブルヘッド７３との間には接地開閉器６３及び計器用変圧器７１，避雷器７２が設置されている。ケーブルヘッド７３はさらに分岐回線８１に接続されている。
【００１２】
図２に示すように、第１主母線１は、分岐回線ユニット２３の側面の上方に設置され、第２主母線２は、第１主母線１の下方側に設置されている。第１主母線１，第２主母線２を収納する主母線断路器ユニット容器は、主母線方向両側に開口部を有し、それと直交する方向の一方の側に開口部が設けられており、それらの開口部にはそれぞれ絶縁スペーサ４１，４２，４４が取り付けられている。主母線断路器ユニット容器は、絶縁スペーサ４４が設けられている方向は円筒形状に形成され、その中央部に主母線が配置されている。又、絶縁スペーサ４１，
４２の方向は直方体形状に形成されている。このとき、絶縁スペーサ４１，４２側には、母線側断路器３１，３２が設けられた分、長く形成されている。主母線断路器ユニット容器と分岐回線ユニット容器とは絶縁スペーサ４１，４２を介して気密に接続されている。３相分の第１主母線１及び第２主母線２は縦方向に一列に配列されており、それぞれ母線側断路器３１，３２を介して絶縁スペーサ
４１，４２に設けられた導体部と接続されている。第１主母線１側導体部と第２主母線２側導体部は、縦方向に設けられた導体７４を介して、遮断器５１の下方側に接続されており、遮断器５１の上方で接地開閉器６２を介して絶縁スペーサ４３に設けられた導体部と接続されている。遮断器５１を収納した容器は直方体形状に形成されており、絶縁スペーサ４１，４２はその直方体の一面に取付けられている。この導体部はさらに、線路側断路器３３を介して下方に位置する避雷器７２，避雷器と並置されたケーブルヘッド７３，ケーブルヘッドの上方に設けられた計器用変圧器７１と接続されている。
【００１３】
本実施例では図１のように、上述した分岐回線ユニット容器３台を横方向に所定の間隔を空けて設置されている。
【００１４】
上記のような構成のガス絶縁開閉装置でいずれかの分岐回線ユニット内で事故が生じた場合には、事故が生じた分岐回線ユニット（本実施例では仮に２３ｂとする。）を第１及び第２主母線断路器ユニット２１，２２から取外して補修を行う必要がある。その際に、電気所全体が停電状態になるのを避けるために、第１及び第２主母線の少なくとも一方を課電状態に保ったままで、分岐回線ユニット２３を取外している。課電状態の主母線断路器ユニットの容器内には高圧ガスが充填されているため、そのまま取外し作業を行うと、第１及び第２主母線断路器ユニット２１，２２と分岐回線ユニット２３間に接続される絶縁スペーサ４１，４２に高いガス圧がかかっている状態での危険な取外し作業となる。これを避けるために、本実施例ではまず第１主母線１を停電させた後、この第１主母線１が収納されている第１主母線断路器ユニット２１ａ，２１ｂ，２１ｃの容器内、つまり、第１主母線断路器ユニットの筒部分及び接続部分内のＳＦ6 ガスを回収する。次いで補修対象となる分岐回線ユニット２３ｂに接続されている第１主母線断路器ユニット２１ｂを、この第１主母線断路器ユニット２１ｂと軸方向に隣接する第１主母線断路器ユニット21ａ，２１ｃから取外すと共に、第１主母線断路器ユニット２１ａ，２１ｃの接続部分に配置されている絶縁スペーサ４１を分岐回線ユニット２３ｂから取外し、この第１主母線断路器ユニット２１ｂを図３，図４に示すように軸線９１を中心として１８０度回転させ第１主母線断路器ユニット第１主母線断路器ユニット２１ｂの接続部分を分岐回線ユニット２３ｂとは反対側に位置させ、この状態で第１主母線断路器ユニット２１ｂを再び軸方向に隣接する第１主母線断路器ユニット２１ａ，２１ｃと接続する。その際、図５に示すように、絶縁スペーサ４１に設けられた導体に電界シールド１０１を取り付け、その上から蓋１０２をフランジ接続して被せ、分岐回線ユニット２３ｂの解放端にも蓋１０３をフランジ接続して被せる。このとき主母線断路器ユニットの容器が上述した形状に形成されているので、第１主母線断路器ユニット２１ｂと分岐回線ユニット２３ｂとの間に十分なスペースができるような寸法となっている。上述した第１主母線断路器ユニット２１ｂと軸方向に隣接する第１主母線断路器ユニット２１ａ，２１ｃとの再接続が行われた後、第１主母線断路器ユニット２１ａ，２１ｂ，２１ｃ内にＳＦ6 ガスを所定の圧力まで充填し、その後に停電していた第１主母線１に課電し、次に第２主母線２を停電させる。第２主母線２を停電させた後、第２主母線断路器ユニット２２ｂの容器内、つまり、第２主母線断路器ユニット２２ｂの筒部分及び接続部分内のＳＦ6 ガスを回収して、この第２主母線断路器ユニット２２ｂの接続部分と分岐回線ユニット２３ｂとの間に設置された絶縁スペーサ４２にガス圧が作用しない状態にする。この状態において前記絶縁スペーサ４２を分岐回線ユニット２３ｂから取外し、その後、分岐回線ユニット２３ｂを主母線から取外して補修を行う。
【００１６】
【発明の効果】
以上のように、本発明によれば、電気所を停電させずに第１及び第２主母線から分岐回線ユニットを取外す際に、短絡母線ユニットを用いる代わりに主母線断路器ユニットを回転させて再接続することにより、主母線断路器ユニットを使用することができ、余分なコストや時間を削減する効果がある。
【図面の簡単な説明】
【図１】本発明の一実施例であるガス絶縁開閉装置を示す単線結線図。
【図２】本実施例のガス絶縁開閉装置の縦断面図。
【図３】図２のガス絶縁開閉装置を上方から見た断面図。
【図４】図２のガス絶縁開閉装置を左方から見た断面図。
【図５】主母線導体配置が直線配置の場合の本実施例を示す図。
【符号の説明】
１…第１主母線、２…第２主母線、２１…第１主母線断路器ユニット、２２…第２主母線断路器ユニット、２３…分岐回線ユニット、３１，３２…母線側断路器、３３…線路線側断路器、４１，４２，４３，４４…絶縁スペーサ、５１…遮断器、６１，６２，６３…接地開閉器、７１…計器用変圧器、７２…避雷器、７３…ケーブルヘッド、７４…導体、８１…分岐回線、９１，９２…軸線、１０１…電界シールド、１０２，１０３…蓋。
【図１】
0003541657.tif 000002
【図２】
0003541657.tif 000003
【図３】
0003541657.tif 000004
【図４】
0003541657.tif 000005
【図５】
0003541657.tif 000006